(57)【要約】【課題】たわしの下一部がたわし挿着筒からはみだしたわしの回転を止め，たわしを確り挟み保持可能にする切り欠き係止溝を装着筒上部左右に施したたわし挿着筒を嵌合する筒受けを固定する安定ベース仕様、流し台縁に被せる基部仕様、洗い場により選べるたわしホルダーを提供する。【解決手段】たわしの下一部がたわし挿着筒からはみだしたわしの回転を止め、たわしを確り挟み保持可能にする切り欠き係止溝を装着筒上部左右に施したたわし挿着筒を嵌合する筒受けを安定ベース又基部に装着固定設け、安定又回転しないたわしを介し片手だけで食器をたわし洗いできる構造としたことを特徴とするたわしホルダー。【選択図】図７
2020189067.tif 000002
【特許請求の範囲】
【請求項１】
たわしの下一部がたわし挿着筒からはみだしたわしの回転を止め，たわしを確り挟み保持可能にする切り欠き係止溝を装着筒上部左右に施したたわし挿着筒を嵌合する筒受けを安定ベース板に装着固定設け、安定又回転しないたわしを介し片手だけで食器をたわし洗いできる構造としたことを特徴とするたわしホルダー。
【請求項２】
2020189067.tif 000005
を設け、基部上面左右端に既存柄付きたわしににある穴を利用し雄ネジ体で締め付け装着する雌ネジを複数設け、流し台底面と間隔を空け納まる基部内側より下方向に延長したプレート端に、たわしの下一部がたわし挿着筒からはみだしたわしの回転を止め、たわしを確り挟み保持可能にする切り欠き係止溝を装着筒上部左右に施したたわし挿着筒を嵌合する筒受けを装着固定設け、安定又回転しないたわしを介し片手だけで食器をたわし洗いできる構造としたことを特徴とするたわしホルダー。
【発明の詳細な説明】
【技術分野】
【０００１】本発明は、固定したたわしを介し片手だけで食器類を洗うことができる食器洗いに関するものである。
【背景技術】
【０００２】従来、食器類を洗うときは片手にたわし、片手に食器を持ち両手を使い洗い作業していた。
【発明の概要】
【発明が解決しようとする課題】
【０００３】そのため、次のような問題点があった。
（イ）片手が不自由なとき、たわしを使用しての洗い作業は難儀であった。
（ロ）洗い物が多いとき作業が捗らなかった。
本発明は、これらの問題点を解決するためになされたものである。
【課題を解決するための手段】
【０００４】第一の発明は、筒受けを安定ベースに装着した置き形式のたわしホルダーである図７。
たわしの下一部がたわし挿着筒からはみだしたわしの回転を止めたわしを確り挟み保持可能にする切り欠き係止溝を装着筒上部左右に施したたわし挿着筒を嵌合する筒受けを安定ベース板に装着固定設け、安定又回転しないたわしを介し片手だけで食器をたわし洗いできる構造とした。
第二の発明は、流し台の縁を利用するたわしホルダーである図５。
2020189067.tif 000003
を設け、基部上面左右端に既存柄付きたわしににある穴を利用し雄ネジ体で締め付け装着する雌ネジを複数設け、流し台底面と間隔を空け納まる基部内側より下方向に延長したプレート端に、たわしの下一部がたわし挿着筒からはみだしたわしの回転を止め、たわしを確り挟み保持可能にする切り欠き係止溝を装着筒上部左右に施したたわし挿着筒を嵌合する筒受けを装着固定設け、安定又回転しないたわしを介し片手だけで食器をたわし洗いできる構造とした。
以上を特徴とするたわしホルダーである。
【発明の効果】
【０００５】安定ベース及び基部に装着固定したたわしを介し、片手だけで食器洗いできる。たわしを二個並列装着すると食器の内外同時洗いできる。
【図面の簡単な説明】
【０００６】
【図１】  本発明第二の基部の平面図である。
【図２】  本発明第二の基部の正面図である。
【図３】  本発明第二の基部の側面図である。
【図４】  本発明第二の基部上面に柄付きブラシを左右の雌ネジにネジ体で装着した平面図である。
【図５】  本発明第二の基部を流し台の縁に装着した使用例を示す側面図である。
【図６】  本発明第一二に使用するたわし挿着筒の姿図である。
【図７】  本発明第一の構成部材である安定ベースに筒受けを固定し、たわしをたわし挿着筒に差し込みたわしの下一部がたわし装着筒の切り欠き係止溝からはみだしたわしを確り押さえ、たわしの回転を止めることができることを示す側面図である。
【発明を実施するための形態】
【０００７】以下、本発明の実施の形態について説明する。
第一の発明は、筒受けを安定ベースに装着した置き形式のたわしホルダーである図７。
たわしの下一部がたわし挿着筒からはみだしたわしの回転を止めたわしを確り挟み保持可能にする切り欠き係止溝を装着筒上部左右に施したたわし挿着筒を嵌合する筒受けを安定ベース板に装着固定設け、安定又回転しないたわしを介し片手だけで食器をたわし洗いできる構造とした。
第二の発明は、流し台の縁を利用するたわしホルダーである図５。
2020189067.tif 000004
を設け、基部上面左右端に既存柄付きたわしににある穴を利用し雄ネジ体で締め付け装着する雌ネジを複数設け、流し台底面と間隔を空け納まる基部内側より下方向に延長したプレート端に、たわしの下一部がたわし挿着筒からはみだしたわしの回転を止め、たわしを確り挟み保持可能にする切り欠き係止溝を装着筒上部左右に施したたわし挿着筒を嵌合する筒受けを装着固定設け、安定又回転しないたわしを介し片手だけで食器をたわし洗いできる構造とした。
本発明は以上のような構成である。
第二発明を使用するときは、基部を流し台の縁に上から被せ基部の落下を防ぐアジヤスト部材で調節する。基部の上面の雌ネジにブラシ柄の穴を合わせ雄ネジ体でブラシを装着する。たわしを差し込み一体としたたわし装着筒を筒受けに挿入止めネジで押さえる。食器を片方のたわしに被せ回すと並列した片方のたわしで食器の外も洗え洗い仕事が捗る。たわしを長く使用して緩くなった時は、筒受けの穴の外に飛びだしているたわしのリング部にピン等を差し込みたわしの抜けを防止できる。
挿着筒、筒受けの素材いは塩ビパイプ、塩ビキャプの素材を使用できる。
【符号の説明】
【０００８】  １  基部
２  延長プレート
３  筒受け
４  雌ネジ
５  たわし挿着筒
６  切り欠き係止溝
７  アジャスト部材
８  柄付きブラシ
９  たわし
１０  水栓
１１  流し台
１２  止めネジ
１３  安定ベース
【図１】
2020189067.tif 000006
【図２】
2020189067.tif 000007
【図３】
2020189067.tif 000008
【図４】
2020189067.tif 000009
【図５】
2020189067.tif 000010
【図６】
2020189067.tif 000011
【図７】
2020189067.tif 000012
【手続補正書】
【提出日】令和2年2月24日(2020.2.24)
【手続補正１】
【補正対象書類名】特許請求の範囲
【補正対象項目名】全文
【補正方法】変更
【補正の内容】
【特許請求の範囲】
【請求項１】
たわしの下一部がたわし装着筒からはみだし、たわしの回転を止め、たわしを確り挟み保持可能にする切り欠き係止溝を装着筒上部左右に施したたわし挿着筒を嵌合する筒受けを安定ベース板に装着固定設け、安定し又回転しないたわしを介し片手だけで食器をたわし洗いできる構造としたことを特徴とするたわしホルダー。
【請求項２】
2020189067.tif 000013
設け、基部上面左右端に既存柄付きたわしにある穴を利用し雄ネジ体で締め付け装着する雌ネジを複数設け、流し台底面と間隔をあけ納まる基部内側より下方向に延長したプレート端に、たわしの下一部がたわし装着筒からはみだし、たわしの回転を止め、たわしを確り挟み保持可能可能にする切り欠き係止溝を装着筒上部左右に施したたわし装着筒を嵌合する筒受けを装着固定設け、安定又回転しないたわしを介し片手だけで食器をたわし洗いできる構造としたことを特徴とするたわしホルダー。
【手続補正書】
【提出日】令和2年6月23日(2020.6.23)
【手続補正１】
【補正対象書類名】特許請求の範囲
【補正対象項目名】請求項２
【補正方法】変更
【補正の内容】
【請求項２】
2020189067.tif 000014
設け、基部上面左右端に既存柄付きたわしにある穴を利用し雄ネジ体で締め付け装着する雌ネジを複数設け、流し台底面と間隔をあけ納まる基部内側より下方向に延長したプレート端に、たわしの下一部がたわし装着筒からはみだし、たわしの回転を止め、たわしを確り挟み保持可能    にする切り欠き係止溝を装着筒上部左右に施したたわし装着筒を嵌合する筒受けを装着固定設け、安定又回転しないたわしを介し片手だけで食器をたわし洗いできる構造としたことを特徴とするたわしホルダー。
【手続補正書】
【提出日】令和2年8月15日(2020.8.15)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
たわしの下一部がたわし装着筒からはみだし、たわしの回転を止め、たわしを確り挟み保持可能にする切り欠き係止溝を装着筒上部左右に施したたわし挿着筒を嵌合する筒受けを安定ベース板に装着固定設け、安定し又回転しないたわしを介し片手だけで食器をたわし洗いできる構造としたことを特徴とするたわしホルダー。
【請求項２】
2020189067.tif 000015
設け、基部上面左右端に既存柄付きたわしにある穴を利用し雄ネジ体で締め付け装着する雌ネジを複数設け、流し台底面と間隔をあけ納まる基部内側より下方向に延長したプレート端に、たわしの下一部がたわし装着筒からはみだし、たわしの回転を止め、たわしを確り挟み保持可能にする切り欠き係止溝を装着筒上部左右に施したたわし装着筒を嵌合する筒受けを装着固定設け、安定又回転しないたわしを介し片手だけで食器をたわし洗いできる構造としたことを特徴とするたわしホルダー。